(57)【要約】【課題】予め固定ナットを断熱二重葺き金具に仮止めしておくことができて、吊子の固定作業を効率良く行うことが可能となる簡易構造の断熱折板二重葺き金具を提供すること。【解決手段】折板屋根１上に固定可能な金具本体２の上部に断熱材３が設けられ、この断熱材３の上部に、前記折板屋根１の上方に配設する上層折板４取付用の吊子５を固定するための固定ボルト６が設けられている断熱折板二重葺き金具において、前記断熱材３に、前記吊子５を前記固定ボルト６に螺着固定するための固定ナット７を着脱自在な仮止め状態にして装着可能なナット仮止め部８が設けられている断熱折板二重葺き金具。【選択図】図１
2020051121.tif 000002
【特許請求の範囲】
【請求項１】
折板屋根上に固定可能な金具本体の上部に断熱材が設けられ、この断熱材の上部に、前記折板屋根の上方に配設する上層折板取付用の吊子を固定するための固定ボルトが設けられている断熱折板二重葺き金具において、前記断熱材に、前記吊子を前記固定ボルトに締付固定するための固定ナットを着脱自在な仮止め状態にして装着可能なナット仮止め部が設けられていることを特徴とする断熱折板二重葺き金具。
【請求項２】
前記ナット仮止め部は、前記固定ナットの雌螺子孔を着脱自在に掛止保持若しくは圧入保持可能な突起で構成されていることを特徴とする請求項１記載の断熱折板二重葺き金具。
【請求項３】
合成樹脂製の前記断熱材に、前記ナット仮止め部が一体成形されていることを特徴とする請求項１，２のいずれか１項に記載の断熱折板二重葺き金具。
【請求項４】
前記ナット仮止め部は、前記断熱材の屋根勾配下方側に配する前端面に設けられているか、若しくは前記断熱材の屋根勾配上方側に配する後端面に設けられていることを特徴とする請求項１〜３のいずれか１項に記載の断熱折板二重葺き金具。
【請求項５】
前記断熱材は、前記上層折板の下面を載置可能な載置上段部と、前記吊子の底部を載置可能な載置下段部とが並設する上下二段の段差形状に形成されており、前記ナット仮止め部は、前記載置下段部の屋根勾配下方側に配する前端面に設けられているか、若しくは前記載置下段部の屋根勾配上方側に配する後端面に設けられていることを特徴とする請求項１〜４のいずれか１項に記載の断熱折板二重葺き金具。
【請求項６】
前記断熱材は、前記吊子を着脱自在な仮止め状態にして装着可能な吊子仮止め部が設けられていることを特徴とする請求項１〜５のいずれか１項に記載の断熱折板二重葺き金具。
【発明の詳細な説明】
【技術分野】
【０００１】
本発明は、老朽化した折板屋根上に新たな折板屋根を構築する場合や、折板を上下二重に配設すると共に上下の折板間に断熱層を設ける断熱折板二重葺き屋根を構築する場合に使用される断熱折板二重葺き金具に関するものである。
【背景技術】
【０００２】
例えば、老朽化した折板屋根上に新たな折板屋根を構築する場合や、下層の折板屋根上にウレタンなどの断熱材などを敷設し、この断熱材を上層折板で覆って断熱二重葺き折板屋根を構築する場合には、下層折板屋根の頂部のはぜ部の根本部（首部）を挟持してこの下層折板屋根の頂部上に断熱二重葺き金具を取り付け、この断熱二重葺き金具の上部に断熱材を介して吊子を断熱状態で固定し、この吊子に上層折板を重合係止することにより断熱二重葺き金具を介して上層折板を下層折板屋根上に葺設する。
【０００３】
また、この種の断熱二重葺き金具としては、下層折板屋根上に固定可能な金具本体の上部に断熱材が設けられ、この断熱材の上部に、上層折板取付用の吊子を固定するための固定ボルトが設けられていて、この固定ボルトに吊子の底部を貫通装着した上で固定ボルトに螺着した固定ナットで吊子を締付固定可能に構成されている。
【０００４】
また、この断熱二重葺き金具を用いた断熱折板二重葺き屋根の葺設方法を更に詳しく説明すると、下層折板屋根に断熱二重葺き金具を取付けた後、断熱材上に上層折板の一端側頂部を載置し、次いで、この上層折板の一端部に設けられている下ハゼに吊子はぜ部を上から重ねるように吊子を配してその底部を前記固定ボルトに貫通装着し、この固定ボルトに螺着した前記固定ナットで吊子の底部を断熱材（断熱二重葺き金具）の上部に締付固定し、次いで、吊子はぜ部の上から上層折板の他端部に設けられている上ハゼを重ねるように配して下ハゼと上ハゼを吊子はぜ部にハゼ締め係止することにより上層折板を並設状態に葺設していく。
【先行技術文献】
【特許文献】
【０００５】
【特許文献１】特開２０１５−１７２３２１号公報
【発明の概要】
【発明が解決しようとする課題】
【０００６】
断熱折板二重葺き屋根の葺設作業に際しては、作業者が予め多数の前記固定ナットをポケットに入れておいて、下層折板屋根上に多数設置固定されている断熱二重葺き金具に、ポケットから固定ナットを一個ずつ取り出して吊子を固定していくが、作業途中でポケットの固定ナットが足りなくなると、他の作業者に声掛けして分けてもらったり、固定ナットを取りに戻ったりしなければならず、煩わしかった。
【０００７】
本発明は、この点、予め固定ナットを断熱二重葺き金具に仮止めしておくことができて、吊子の固定作業が効率良く行われる簡易構造の断熱折板二重葺き金具を提供するものである。
【課題を解決するための手段】
【０００８】
添付図面を参照して本発明の要旨を説明する。
【０００９】
折板屋根１上に固定可能な金具本体２の上部に断熱材３が設けられ、この断熱材３の上部に、前記折板屋根１の上方に配設する上層折板４取付用の吊子５を固定するための固定ボルト６が設けられている断熱折板二重葺き金具において、前記断熱材３に、前記吊子５を前記固定ボルト６に締付固定するための固定ナット７を着脱自在な仮止め状態にして装着可能なナット仮止め部８が設けられていることを特徴とする断熱折板二重葺き金具に係るものである。
【００１０】
また、前記ナット仮止め部８は、前記固定ナット７の雌螺子孔９を着脱自在に掛止保持若しくは圧入保持可能な突起８で構成されていることを特徴とする請求項１記載の断熱折板二重葺き金具に係るものである。
【００１１】
また、合成樹脂製の前記断熱材３に、前記ナット仮止め部８が一体成形されていることを特徴とする請求項１，２のいずれか１項に記載の断熱折板二重葺き金具に係るものである。
【００１２】
また、前記ナット仮止め部８は、前記断熱材３の屋根勾配下方側に配する前端面に設けられているか、若しくは前記断熱材３の屋根勾配上方側に配する後端面に設けられていることを特徴とする請求項１〜３のいずれか１項に記載の断熱折板二重葺き金具に係るものである。
【００１３】
また、前記断熱材３は、前記上層折板４の下面を載置可能な載置上段部10と、前記吊子５の底部12を載置可能な載置下段部11とが並設する上下二段の段差形状に形成されており、前記ナット仮止め部８は、前記載置下段部11の屋根勾配下方側に配する前端面に設けられているか、若しくは前記載置下段部11の屋根勾配上方側に配する後端面に設けられていることを特徴とする請求項１〜４のいずれか１項に記載の断熱折板二重葺き金具に係るものである。
【００１４】
また、前記断熱材３は、前記吊子５を着脱自在な仮止め状態にして装着可能な吊子仮止め部13が設けられていることを特徴とする請求項１〜５のいずれか１項に記載の断熱折板二重葺き金具に係るものである。
【発明の効果】
【００１５】
本発明は上述のように構成したから、断熱材に設けられているナット仮止め部に、固定ナットを着脱自在に仮止め装着でき、従って予め多数の断熱折板二重葺き金具に固定ナットを仮止め装着しておけば、その後の吊子固定作業時に作業者がポケットに固定ナットを入れて持ち運ぶような手間も、作業途中で固定ナットが足りなくなるような不都合もなく、夫々の断熱折板二重葺き金具に仮止めされている固定ナットを使用して吊子を効率良く固定していくことが可能となり、しかも本発明は、断熱材にナット仮止め部が設けられているため、この構成は、例えば断熱材にナット仮止め部を一体成形するなどして簡易に設計実現可能であるなど、極めて実用性・量産性に優れた断熱折板二重葺き金具となる。
【００１６】
また、請求項２，３記載の発明においては、前記作用効果を確実に発揮するナット仮止め部を簡易構成にして容易に設計実現可能となる一層実用性に優れた構成の断熱折板二重葺き金具となる。
【００１７】
また、請求項４，５記載の発明においては、ナット仮止め部に固定ナットを仮止めした状態で断熱材上に吊子を配設しても固定ナットが邪魔にならない一層実用性に優れた構成の断熱折板二重葺き金具となる。
【００１８】
また、請求項６記載の発明においては、固定ナットに加えて吊子も予め仮止めしておくことができ、吊子の固定作業を一層効率良く行うことができる極めて実用性に優れた構成の断熱折板二重葺き金具となる。
【図面の簡単な説明】
【００１９】
【図１】実施例１を示す斜視図である。
【図２】固定ナットが仮止めされた実施例１を、折板屋根（下層折板屋根）に固定しようとする状態を示す説明斜視図である。
【図３】固定ナットが仮止めされた実施例１が、折板屋根（下層折板屋根）に固定された状態を示す説明正面図である。
【図４】図３の状態に続いて、吊子仮止め部に吊子が仮止めされた状態を示す説明正面図である。
【図５】実施例１の使用状態（断熱折板二重葺き屋根の完成状態）を示す説明正面図である。
【図６】実施例２を示す正面図である。
【図７】折板屋根（下層折板屋根）に固定された実施例２の吊子仮止め部に吊子が仮止めされた状態を示す説明正面図である。
【発明を実施するための形態】
【００２０】
好適と考える本発明の実施形態を、図面に基づいて本発明の作用を示して簡単に説明する。
【００２１】
折板屋根１上に金具本体２を固定し、この金具本体２上部の断熱材３の上部に設けられている固定ボルト６に、この固定ボルト６に螺着した固定ナット７によって吊子５を締付固定する。そして、この金具本体２上部に固定された吊子５に、上層折板４を取付けて断熱折板二重葺き屋根を構築できる。
【００２２】
また、本発明は、断熱材３に設けられているナット仮止め部８に、固定ナット７を着脱自在に仮止め装着することができる。
【００２３】
従って、例えば予め多数の本断熱折板二重葺き金具のナット仮止め部８に固定ナット７を仮止め装着してから、本断熱折板二重葺き金具を折板屋根１上に固定するようにすると、その後の吊子５固定作業時に作業者がポケットに固定ナット７を入れて持ち運ぶような手間も、作業途中で固定ナット７が足りなくなるような不都合もなく、多数の本断熱折板二重葺き金具に、夫々のナット仮止め部８から固定ナット７を取り外して吊子５を効率良く固定していくことが可能となる。
【００２４】
また、この種の断熱折板二重葺き金具は、一般的に断熱材３が合成樹脂製であるので、例えばこの断熱材３にナット仮止め部８を一体成形するなどして、容易に本発明を実現可能である。
【実施例１】
【００２５】
本発明の具体的な実施例１について図１〜図５に基づいて説明する。
【００２６】
本実施例の断熱折板二重葺き金具は、折板屋根１上に固定可能な金具本体２の上部に断熱材３が設けられ、この断熱材３の上部に、前記折板屋根１の上方に配設する上層折板４取付用の吊子５を固定するための固定ボルト６が設けられている。
【００２７】
具体的には、金具本体２は、図１，図２に示すように、一対の挟持体14が左右に対向配設され、この挟持体14間に締付ボルト15が貫通配設され、この締付ボルト15に螺着した締付ナット16により各挟持体14の下部に形成した挟持対向部17を締付接近させて下側に配する折板屋根１（下層折板屋根１）のはぜ部18に締付挟持固定し得るように構成されており、この一対の挟持体14上に合成樹脂製の前記断熱材３が設けられ、この断熱材３の上部に、前記吊子５を固定可能な吊子固定部19が設けられている。
【００２８】
即ち、図５に示すように、この断熱材３により前記吊子５と金具本体２（の各挟持体14）とが断熱されて、前記下層折板屋根１と前記上層折板４とが断熱状態となるように構成されている（下層折板屋根１上に、本断熱折板二重葺き金具を介して上層折板４を断熱状態に支持して断熱折板二重葺き屋根を構築できるように構成されている。）。図中符号20はタイトフレーム、21は下層屋根５係止用の吊子である。
【００２９】
また、図示したように、一方（図面右側）の挟持体14より他方（図面左側）の挟持体14の方が高さのある形状に形成され、左右に対向配設されたこの挟持体14の側板部間に、図示省略の貫通孔を介して六角ボルトが採用された前記締付ボルト15が回り止め状態に水平貫通配設され、この締付ボルト15の先端部に締付ナット16が螺着されていて、この締付ナット16を締付回動することで各挟持体14の下部に形成した前記挟持対向部17が接近して前記はぜ部18を締付挟持するように構成されている（図３〜図５参照）。尚、回り止め状態の締付ナット16に対して締付ボルト15を締付回動させる構成が採用されていても良い。
【００３０】
また、高さの異なる一対の挟持体14に対応させて、前記断熱材３も一側（図面右側）より他側（図面左側）が高い形状であって、前記上層折板４の頂部の下面を載置可能な載置上段部10と、前記吊子５の底部12を載置可能な載置下段部11とが並設する上下二段の段差横板形状に形成（一体成形）されている。
【００３１】
さらに、この断熱材３の載置下段部11に、この載置下段部11と前記金具本体２の天板部（図示省略）とを貫通させて前記固定ボルト６が立設状態に設けられていて、この固定ボルト６を吊子５の底部12に貫通形成されたボルト孔（図示省略）に挿通させて吊子５の底部12を載置下段部11上に載置装着でき、この際に固定ボルト６先端（上端）に螺着した固定ナット７で吊子５（の底部12）を固定ボルト６及び載置下段部11に締付固定できるように構成されている（図５参照）。
【００３２】
即ち、この吊子５の底部12を載置可能な載置下段部11と、吊子５固定用の固定ボルト６及び固定ナット７とにより前記吊子固定部19が構成されている。図中符号22は載置下段部11に貫通形成された固定ボルト６貫通用のボルト通し孔である。
【００３３】
本実施例は、前記断熱材３に、前記固定ナット７を着脱自在な仮止め状態にして装着可能なナット仮止め部８が設けられている。
【００３４】
具体的には、ナット仮止め部８は、前記固定ナット７の雌螺子孔９を着脱自在に圧入保持可能な突起８で構成されていると共に、この突起８は、前記断熱材３に一体成形されている。尚、ナット仮止め部８（突起８）は、例えば上向きに突設する形状に形成されていることにより固定ナット７の雌螺子孔９を着脱自在に掛止保持可能な構成が採用されていても良いし、その他の仮止め可能な構成が採用されていても良い。
【００３５】
また、このナット仮止め部８は、吊子５固定前に上層折板４の頂部の下面が載置されて隠れてしまう載置上段部10側に設けるのではなく、載置下段部11側に設けられていると共に、吊子５（の底部12）を載置下段部11上に載置しても邪魔にならない載置下段部11の屋根勾配下方側に配する前端面に水平前方へ向けて突設されている（図１参照）。尚、このナット仮止め部８が、載置下段部11の屋根勾配上方側に配する後端面に後方へ向けて突設されていても良い。
【００３６】
また、このナット仮止め部８（突起８）について更に詳しく説明すると、水平突出する円柱状突起であって、上下に二分割された割ピン形状に形成（一体成形）されており、更に突出先端側の外径が前記固定ナット７の雌螺子孔９の孔径よりもやや径大となる形状に形成されていて、この突起８に固定ナット７の雌螺子孔９を圧入すると固定ナット７が簡単には取外せなくなり、且つ固定ナット７をナット仮止め部８に対して前方へ引っ張ると割ピンが内方へ撓んで取外すことが可能な仮止め状態となるように構成されている。
【００３７】
従って、例えば予め多数の本断熱折板二重葺き金具のナット仮止め部８に固定ナット７を仮止め装着してから、本断熱折板二重葺き金具を折板屋根１上に固定するようにすると、その後の吊子５固定作業時に作業者がポケットに固定ナット７を入れて持ち運ぶような手間も、作業途中で固定ナット７が足りなくなるような不都合もなく、多数の本断熱折板二重葺き金具に、夫々のナット仮止め部８から固定ナット７を取り外して吊子５を効率良く固定していくことが可能となるように構成されている。
【００３８】
また、本実施例の前記断熱材３には、前記吊子５を着脱自在な仮止め状態にして装着可能な吊子仮止め部13が設けられている。
【００３９】
具体的には、断熱材３の前記載置下段部11上面の図面右側の端部に、屋根勾配方向と平行な溝長を有する掛止溝13Ａが形成（一体成形）されて、この掛止溝13Ａが前記吊子仮止め部13として構成されており、この吊子仮止め部13（掛止溝13Ａ）に、吊子５上部の吊子はぜ部23の下向き先端部を上方から着脱自在に掛止め（仮止め）可能に構成されている（図４参照）。
【００４０】
従って、本実施例は、固定ナット７に加えて吊子５も予め仮止めしておくことができるので、吊子５の固定作業を極めて効率良く行うことができる。
【実施例２】
【００４１】
本発明の具体的な実施例２について図６，図７に基づいて説明する。
【００４２】
本実施例は、前記実施例１とは異なる吊子仮止め部13が採用されている場合である。
【００４３】
具体的には、前記断熱材３の段差部の下方に、前記載置上段部10側に向かって凹設されて屋根勾配方向と平行な長さを有する嵌合凹部13Ｂが形成（一体成形）されて、この嵌合凹部13Ｂが前記吊子仮止め部13として構成されている。
【００４４】
また、この吊子仮止め部13（嵌合凹部13Ｂ）は、その下面が前記載置下段部11（の上面）と面一となる凹状に形成されていて、この嵌合凹部13Ｂに、上下を反転させた（逆さまにした）吊子５の吊子はぜ部23を側方から嵌合しつつ吊子はぜ部23の上面を載置下段部11に載置することで、吊子５を立設状態（逆立ち状態）で着脱自在に仮止め可能に構成されている（図７参照）。
【００４５】
他の構成は、前記実施例１と同様である。
【００４６】
尚、本発明は、実施例１，２に限られるものではなく、各構成要件の具体的構成は適宜設計し得るものである。
【符号の説明】
【００４７】
１  折板屋根
２  金具本体
３  断熱材
４  上層折板
５  吊子
６  固定ボルト
７  固定ナット
８  ナット仮止め部・突起
９  雌螺子孔
10  載置上段部
11  載置下段部
12  底部
13  吊子仮止め部
【図１】
2020051121.tif 000003
【図２】
2020051121.tif 000004
【図３】
2020051121.tif 000005
【図４】
2020051121.tif 000006
【図５】
2020051121.tif 000007
【図６】
2020051121.tif 000008
【図７】
2020051121.tif 000009